(57)【要約】【課題】撮影した画像を用いて利用者を十分に楽しませることを可能にする。【解決手段】本発明の管理サーバは、写真シール作成装置において生成された画像に関連付けられた画像情報から当該画像を解析する画像解析部（４１６）と画像解析情報から、画像に付加する付加情報を提示する付加情報提示部（４１７）とを備え、画像の全体の色合いを示す情報と、この色合いに応じた文言とを、上記付加情報としてユーザに提示する。【選択図】図１８
2015185879.tif 000002
【特許請求の範囲】
【請求項１】
ユーザを撮影して画像を生成する写真シール作成装置において生成された画像を管理する管理サーバであって、
上記写真シール作成装置において生成された画像に関連付けられた画像情報から当該画像を解析する画像解析手段と、
上記画像解析手段によって解析された上記画像の画像解析情報から、当該画像に付加する付加情報を提示する付加情報提示手段と、
を備え、
上記付加情報提示手段は、
上記画像解析情報に含まれる情報のうち、上記画像の総画素の色情報の統計値から当該画像の全体の色合いを特定し当該色合いを示す情報と、特定した色合いに応じた文言とを、上記付加情報として提示することを特徴とする管理サーバ。
【請求項２】
上記付加情報提示手段によって提示された付加情報の種類毎に、ユーザが保存した複数の撮影画像を分類する画像分類手段と、
上記画像分類手段によって分類された撮影画像を、付加情報の種類毎に切り替えてユーザが利用する端末装置に送信する画像送信手段と、
をさらに備えていることを特徴とする請求項１に記載の管理サーバ。
【請求項３】
上記付加情報提示手段は、
上記画像解析情報から上記画像に対して施された画像編集処理の有無を特定し当該有無を示す情報を、上記付加情報として提示することを特徴とする請求項１に記載の管理サーバ。
【請求項４】
ユーザを撮影して画像を生成する写真シール作成装置において生成された画像を管理する管理サーバであって、
上記写真シール作成装置において生成された画像に関連付けられた画像情報から当該画像を解析する画像解析手段と、
上記画像解析手段によって解析された上記画像の画像解析情報から、当該画像に付加する付加情報を生成して上記ユーザに提示する付加情報提示手段と、
を備え、
上記付加情報提示手段は、
上記画像解析情報に含まれる情報のうち、上記画像に含まれている特定の画像がユーザにより認識できない処理を施したか否かを示す情報を、付加情報としてとして提示することを特徴とする管理サーバ。
【請求項５】
上記特定の画像がユーザによって認識されない処理は、画像に含まれる特定の画像を表示しないようにするための処理であることを特徴とする請求項４に記載の管理サーバ。
【請求項６】
上記特定の画像がユーザによって認識されない処理は、画像に含まれる特定の画像を別の異なる画像に置き換える処理であることを特徴とする請求項４に記載の管理サーバ。
【請求項７】
上記画像に含まれる特定の画像は、ユーザの顔画像であることを特徴とする請求項５または６に記載の管理サーバ。
【請求項８】
上記画像に含まれる特定の画像は、ユーザの顔画像であり、置き換える画像は、当該画像に含まれる別のユーザの顔画像であることを特徴とする請求項７に記載の管理サーバ。
【請求項９】
上記付加情報には、特定の人物を認証したときに、当該特定の画像に施されたユーザにより認識できない処理の解除を指示する指示情報が含まれていることを特徴とする請求項４〜８の何れか１項に記載の管理サーバ。
【請求項１０】
ユーザを撮影して画像を生成する写真シール作成装置において生成された画像を管理する画像管理方法であって、
画像に関連付けられた画像情報から当該画像を解析する画像解析工程と、
上記画像解析工程によって解析した上記画像の画像解析情報から、当該画像に付加する付加情報を生成してユーザに提示する付加情報提示工程とを含み、
上記付加情報提示工程は、
上記画像解析情報に含まれる上記画像の総画素の色情報の統計値から当該画像の全体の色合いを特定し当該色合いを示す情報と、特定した色合いに応じた文言とを、上記付加情報として提示することを特徴とする画像管理方法。
【請求項１１】
ユーザを撮影して画像を生成する写真シール作成装置において生成された画像を管理する画像管理方法であって、
画像に関連付けられた画像情報から当該画像を解析する画像解析工程と、
上記画像解析工程によって解析して上記画像の画像解析情報から、当該画像に付加する付加情報を生成してユーザに提示する付加情報提示工程とを含み、
上記付加情報提示工程は、
上記画像解析情報に含まれる情報のうち、上記画像に含まれている特定の画像がユーザにより認識できない処理を施したか否かを示す情報を、付加情報としてとして提示することを特徴とする画像管理方法。
【請求項１２】
請求項１から９のいずれか１項に記載の管理サーバとしてコンピュータを機能させるための制御プログラムであって、コンピュータを上記各手段として機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、ユーザを撮影して得られた画像に対して所望の処理を施す管理サーバ、写真シール作成装置に関する。
【背景技術】
【０００２】
従来から、ゲームセンターやアミューズメントパークなどの娯楽施設において、ユーザが自分の姿を撮影し、その撮影した画像に背景画像等を合成して、シールプリントとして出力する写真撮影プリント装置が設置されており、人気を博している。
【０００３】
この写真撮影プリント装置では、写真撮影後に表示画面に撮影した画像を表示し、タッチペンなどのポインティングデバイスによって落書き等の編集処理を施し、編集された画像をシールプリントとして出力することが可能である。
【０００４】
また、上記のように編集された画像をシールプリントとして出力するだけでなく、さらに、撮影した画像データを用いて利用者を楽しませる機能を備えた写真撮影プリント装置も提案されている。例えば、特許文献１には、撮影された人物に対応した画像データに基づいて占い処理を利用者に提供する写真撮影プリント装置が提案されている。
【０００５】
さらに、写真撮影プリント素値では、撮影した画像に対して落書き等を行う他に、撮影した画像と、この画像に対応するテキストデータ（画像の説明文など）とを合わせて表示することもできる。例えば、特許文献２には、写真撮影プリント装置にて撮影された画像と、この画像に対応するテキストデータとをバランスよく配置して表示させる技術が開示されている。
【先行技術文献】
【特許文献】
【０００６】
【特許文献１】特開２００７−２８２８６２号公報（２００７年１１月１日公開）
【特許文献２】特開２０１０−９２５０号公報（２０１０年１月１４日公開）
【発明の概要】
【発明が解決しようとする課題】
【０００７】
しかしながら、従来の写真撮影プリント装置では、撮影された画像に対応付けられた情報（テキストデータや占い情報）を利用者に提供しているにすぎないため、撮影した画像を用いて利用者を楽しませるのに十分ではなかった。
【０００８】
本発明は、上記の問題点に鑑みなされたものであって、その目的は、撮影した画像を用いて利用者を十分に楽しませることを可能にする画像処理装置及びこれを備えた写真シール作成装置を提供することにある。
【課題を解決するための手段】
【０００９】
上記の課題を解決するために、本発明の管理サーバは、ユーザを撮影して画像を生成する写真シール作成装置において生成された画像を管理する管理サーバであって、上記写真シール作成装置において生成された画像に関連付けられた画像情報から当該画像を解析する画像解析手段と、上記画像解析手段によって解析された上記画像の画像解析情報から、当該画像に付加する付加情報を提示する付加情報提示手段と、を備え、上記付加情報提示手段は、上記画像解析情報のうち、上記画像の総画素の色情報の統計値から当該画像の全体の色合いを特定し当該色合いを示す情報と、特定した色合いに応じた文言とを、上記付加情報として提示することを特徴としている。
【００１０】
上記の構成によれば、画像の画像解析情報から、当該画像に付加する付加情報を上記ユーザに提示することで、ユーザは自分を含めて撮影した画像から想起される情報を受け取ることになる。このようにして受け取った情報は、撮影された画像に対応付けられた情報（テキストデータや占い情報）ではないので、ユーザは予期しない情報として受け取ることが可能となり、受け取った情報によりユーザを十分に楽しませることを可能にする。
【００１１】
上記撮影した画像から想起される情報は、以下に示すような画像全体の色合いを示す情報、落書きの有無を示す情報、特定の画像（顔画像）を隠すようなスタンプの有無を示す情報等の画像を解析して得られる情報から作成される。
【００１２】
しかも、ユーザに提示される付加情報が、画像解析情報に含まれる画像の総画素の色情報の統計値から当該画像の全体の色合いを特定し当該色合いを示す情報であることで、ユーザは画像全体の色合いを把握することができる。例えば、色合いを示す情報により画像全体の色合いを変更した状態で画像表示することで、画像に適した色合いになるため、ユーザをより楽しませることが可能となる。例えば、暖色系の多い画像であれば、画像全体を暖色系にしたり、寒色系の多い画像であれば、画像全体を寒色系にしたりすることで、ユーザが見る画像全体の色合いがより強調されたものとなる。
【００１３】
そして、特定された色合いを示す情報から、当該色合いに応じた文言を、さらに、付加情報として提示することで、画像全体の色合いがどのような色合いなのかを文言、例えば形容詞や色について説明する文言などを画像を表示している表示画面に表示することになる。これにより、ユーザによって色の判断が難しいような場合であっても、形容詞や色について説明する文言が表示されるので、撮影された画像がどのような色合いなのかを容易に把握することが可能となる。
【００１４】
上記付加情報提示手段によって提示された付加情報の種類毎に、ユーザが保存した複数の撮影画像を分類する画像分類手段と、上記画像分類手段によって分類された撮影画像を、付加情報の種類毎に切り替えてユーザが利用する端末装置に送信する画像送信手段と、をさらに備えていてもよい。
【００１５】
上記の構成によれば、ユーザが利用している端末装置の表示画面に、撮影画像が付加情報の種類毎に切り替えられて表示される。
【００１６】
上記付加情報提示手段は、上記画像解析情報から上記画像に対して施された画像編集処理の有無を特定し当該有無を示す情報を、上記付加情報として提示してもよい。
【００１７】
上記の構成によれば、画像解析情報から上記画像に対して施された画像編集処理の有無を特定し当該有無を示す情報を、上記付加情報として提示することで、ユーザは提示された情報から撮影した画像に何らかの処理が施されているか否かを容易に把握することができる。上記画像編集処理には、撮影画像に対する落書き処理、スタンプ処理がある。
【００１８】
本発明の管理サーバは、ユーザを撮影して画像を生成する写真シール作成装置において生成された画像を管理する管理サーバであって、上記写真シール作成装置において生成された画像に関連付けられた画像情報から当該画像を解析する画像解析手段と、上記画像解析手段によって解析された上記画像の画像解析情報から、当該画像に付加する付加情報を生成して上記ユーザに提示する付加情報提示手段と、を備え、上記付加情報提示手段は、上記画像解析情報に含まれる情報のうち、上記画像に含まれている特定の画像をユーザにより認識できない処理を施したか否かを示す情報を、付加情報としてとして提示することを特徴としている。
【００１９】
上記の構成によれば、画像解析情報に含まれる情報のうち、上記画像に含まれている特定の画像がユーザにより認識できない処理を施したか否かを示す情報を、付加情報としてとして提示することで、撮影画像には、ユーザが認識できない画像が含まれていることになる。
【００２０】
上記特定の画像がユーザによって認識されない処理は、画像に含まれる特定の画像を表示しないようにするための処理であってもよい。
【００２１】
上記の構成によれば、撮影された画像のうち、表示したくない画像を表示しないようにすることができる。
【００２２】
上記特定の画像がユーザによって認識されない処理は、画像に含まれる特定の画像を別の異なる画像に置き換える処理であってもよい。
【００２３】
上記の構成によれば、撮影した画像に含まれる特定の画像を別の異なる画像に置き換えることにより、特定の画像を隠すのと同じ効果が得られる。
【００２４】
上記画像に含まれる特定の画像は、ユーザの顔画像であってもよい。
【００２５】
上記の構成によれば、撮影した画像から特定のユーザの顔を隠すことを可能にする。
【００２６】
上記画像に含まれる特定の画像は、ユーザの顔画像であり、置き換える画像は、当該画像に含まれる別のユーザの顔画像であってもよい。
【００２７】
上記の構成によれば、撮影した画像に含まれる特定のユーザの顔が別のユーザの顔に置き換えることにより、特定のユーザの顔を隠すのと同じ効果が得られる。例えば２人で撮影した場合には、２人とも同じ顔になる。
【００２８】
上記付加情報には、特定の人物を認証したときに、当該特定の画像に施されたユーザにより認識できない処理の解除を指示する指示情報が含まれていてもよい。
【００２９】
上記構成によれば、付加情報には、特定の人物を認証したときに、当該特定の画像に施されたユーザにより認識できない処理の解除を指示する指示情報が含まれていることで、当該付加情報を受け取った端末側では、端末を操作しているユーザが、特定の人物として認証されれば、上記指示情報に基づいて特定の画像に施された処理の解除が行われる。例えば、特定の画像がユーザの顔画像であり、特定の人物がユーザの友達であれば、ユーザの顔画像を見ることができ、ユーザの友達でなければ、ユーザの顔画像を見ることができない。
【００３０】
本発明の画像管理方法は、ユーザを撮影して画像を生成する写真シール作成装置において生成された画像を管理する画像管理方法であって、画像に関連付けられた画像情報から当該画像を解析する画像解析工程と、上記画像解析工程によって解析した上記画像の画像解析情報から、当該画像に付加する付加情報をユーザに提示する付加情報提示工程とを含み、上記付加情報提示工程は、上記画像解析情報に含まれる上記画像の総画素の色情報の統計値から当該画像の全体の色合いを特定し当該色合いを示す情報と、特定した色合いに応じた文言とを、上記付加情報として提示することを特徴としている。
【００３１】
上記の構成によれば、上記管理方法は、上述の管理サーバと同様の効果を奏する。
【００３２】
本発明の画像管理方法は、ユーザを撮影して画像を生成する写真シール作成装置において生成された画像を管理する画像管理方法であって、画像に関連付けられた画像情報から当該画像を解析する画像解析工程と、上記画像解析工程によって解析して上記画像の画像解析情報から、当該画像に付加する付加情報を生成してユーザに提示する付加情報提示工程とを含み、上記付加情報提示工程は、上記画像解析情報に含まれる情報のうち、上記画像に含まれている特定の画像がユーザにより認識できない処理を施したか否かを示す情報を、付加情報としてとして提示することを特徴としている。
【００３３】
上記の構成によれば、上記管理方法は、上述の管理サーバと同様の効果を奏する。
【００３４】
本発明の各態様に係る管理サーバは、コンピュータによって実現してもよく、この場合には、コンピュータを上記管理サーバが備える各手段として動作させることによって上記管理サーバをコンピュータにて実現させる管理サーバの制御プログラム、およびそれを記録したコンピュータ読み取り可能な記録媒体も、本発明の範疇に入る。
【発明の効果】
【００３５】
本発明よると、撮影した画像を用いて利用者を十分に楽しませることを可能にするという効果を奏する。
【図面の簡単な説明】
【００３６】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第２実施形態における管理サーバに備えられた画像処理装置の概略ブロック図である。
【図１９】本発明の第２実施形態における画像処理の流れを示すフローチャートである。
【図２０】（ａ）（ｂ）は、図１９に示す画像処理による処理前後の画像を示し、（ａ）は処理前の画像、（ｂ）は処理後の画像を示す図である。
【図２１】（ａ）（ｂ）は、図１９に示す画像処理と異なる別の処理による処理前後の画像を示し、（ａ）は処理前の画像、（ｂ）は処理後の画像を示す図である。
【図２２】（ａ）（ｂ）は、図１９に示す画像処理と異なる別の処理による処理前後の画像を示し、（ａ）は処理前の画像、（ｂ）は処理後の画像を示す図である。
【図２３】本発明の第３実施形態における画像処理の流れを示すフローチャートである。
【図２４】（ａ）（ｂ）は、図２３に示す画像処理による処理前後の画像を示し、（ａ）は処理前の画像、（ｂ）は処理後の画像を示す図である。
【図２５】本発明の第３実施形態における他の画像処理の流れを示すフローチャートである。
【図２６】（ａ）〜（ｃ）は、図２５に示す画像処理による処理経過毎の画像を示す図である。
【図２７】（ａ）（ｂ）は、図２５に示す画像処理と異なる別の処理による処理前後の画像を示し、（ａ）は処理前の画像、（ｂ）は処理後の画像を示す図である。
【図２８】（ａ）（ｂ）は、図２５に示す画像処理と異なる別の処理による処理前後の画像を示し、（ａ）は処理前の画像、（ｂ）は処理後の画像を示す図である。
【図２９】本発明の第４実施形態における写真シール作成装置に備えられた画像処理装置の概略ブロック図である。
【図３０】本発明の第４実施形態における画像処理の流れを示すフローチャートである。
【図３１】（ａ）（ｂ）は、図３０に示す画像処理による処理前後の画像を示し、（ａ）は処理前の画像、（ｂ）は処理後の画像を示す図である。
【図３２】（ａ）〜（ｄ）は撮像対象の４方位（正面、右側面、背面、左側面）の撮影画像を示す図である。
【発明を実施するための形態】
【００３７】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３８】
（撮影画像管理システム１０）
図２は、本発明の第１実施形態に係る撮影画像管理システム１０の構成を示す図である。図２に示すように、撮影画像管理システム１０は、写真シール作成装置１、携帯端末（端末装置）６、および管理サーバ４を備えている。
【００３９】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００４０】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００４１】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００４２】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００４３】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４４】
画像提供サイトへの画像保存後、ユーザは、携帯端末６または所望の他の装置を用いて画像提供サイトにログインして、画像をダウンロードすることができる。
【００４５】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４６】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４７】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４８】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４９】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００５０】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００５１】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５２】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５３】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５４】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５５】
図３に示す編集部１２の構成を正面側の構成とすると、２組のユーザが同時に編集することができるように、編集部１２の正面側と背面側には編集制御に用いられる構成がそれぞれ設けられる。
【００５６】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５７】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５８】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５９】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００６０】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００６１】
（ユーザの移動）
写真シール作成ゲームの流れと、それに伴うユーザの移動について図５を参照して説明する。図５は、ユーザの移動について説明する図である。
【００６２】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６３】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６４】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６５】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６６】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６７】
画像の印刷が終了したとき、ユーザは、事後接客部１３に設けられた排出口からシール紙を受け取り、一連の写真シール作成ゲームを終えることになる。
【００６８】
（各部材の構成）
次に、写真シール作成装置１に備えられる各部材の構成について説明する。
【００６９】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００７０】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００７１】
正面パネル４１のほぼ中央には撮影・表示ユニット８１が設けられる。撮影・表示ユニット８１は、カメラ９１、正面ストロボ９２、およびタッチパネルモニタ９３から構成される。
【００７２】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７３】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７４】
なお、カメラ９１としては、正面からの撮影だけでなく、多方面（多方位）からの撮影を可能とする多点カメラを用いて、ユーザを少なくとも正面方位、背面方位から同時に撮影するようにしてもよい。
【００７５】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７６】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７７】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７８】
足元ストロボ８６の右側には、ユーザがお金を投入する硬貨投入返却口８７が設けられる。
【００７９】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００８０】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００８１】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８２】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８３】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８４】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８５】
（事後接客部１３）
編集部１２の左側には事後接客部１３が設けられる。図９は、写真シール作成装置１に備えられる事後接客部１３の構成例を示す図である。
【００８６】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８７】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８８】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８９】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００９０】
スピーカ１６５は、事後接客時の案内音声、ＢＧＭ、効果音等の音を出力する。
【００９１】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９２】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部（画像送信手段）２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９３】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９４】
通信部２０３はインターネットなどのネットワークのインタフェースであり、制御部２０１による制御に従って外部の装置と通信を行う。
【００９５】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９６】
ＲＯＭ２０６には、制御部２０１において実行されるプログラムおよびデータが記憶されている。ＲＡＭ２０７は、制御部２０１が処理するデータおよびプログラムを一時的に記憶する。
【００９７】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００９８】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９９】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１００】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１０１】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１０２】
カメラ９１は、制御部２０１による制御に従って撮影を行い、撮影によって得られた画像（撮影画像）を制御部２０１に出力する。具体的には、カメラ９１は、少なくとも一人のユーザを撮影して得られた撮影画像を制御部２０１内の編集制御部３１３に出力する。
【０１０３】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１０４】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１０５】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０６】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０７】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【０１０８】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１０９】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１１０】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１１１】
通信制御部３１１は、通信部２０３による外部の装置との通信を制御する。
【０１１２】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１１３】
編集制御部３１３は、編集部１２Ａおよび編集部１２Ｂによる画像に対する落書き編集等、写真シール作成ゲームにおけるユーザの編集制御に関する処理を制御する。また、詳細は後述するが、編集制御部３１３は、撮影画像を解析して得られた画像解析情報を用いて、撮影画像に付加情報を付加する制御も行っている。
【０１１４】
印刷制御部３１４は、印刷部２１１によるシール紙の印刷等、写真シール作成ゲームにおけるユーザの印刷制御に関する処理を制御する。
【０１１５】
事後接客制御部３１５は、事後接客部１３による、編集作業を終了したユーザグループを接客する処理等、写真シール作成ゲームにおける事後接客に関する処理を制御する。
【０１１６】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１１７】
（制御部４０１の詳細）
図１に示すように、制御部４０１は、通信制御部４１１、メール作成部４１２、ウェブページ作成部４１３、画像管理部４１４、及び画像処理部４１５を備えている。
【０１１８】
（通信制御部４１１）
通信制御部４１１は、通信部４０３による通信を制御する。
【０１１９】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１２０】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１２１】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２２】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１２３】
（画像処理部４１５）
画像処理部４１５は、画像データベース４２４に保存された画像を解析し、解析結果に基づいて、解析対象となった画像に付加する付加情報をユーザに提供する。具体的には、画像処理部４１５は、携帯端末６からの指示により、当該携帯端末６に表示されている画像を、管理サーバ４の画像データベース４２４に保存された画像の中から特定し、その画像を解析し、解析結果に基づいて、解析対象となった画像に付加する付加情報を通信制御部４１１から通信部４０３を介して上記携帯端末６に送信する。この画像処理部４１５の詳細については後述する。
【０１２４】
（記憶部４０２の詳細）
図１に示すように、記憶部４０２は、メールデータベース４２１、会員データベース４２２、ウェブページデータベース４２３、画像データベース４２４、および付加情報データベース４２５を有している。
【０１２５】
（メールデータベース４２１）
メールデータベース４２１は、ユーザに送信するメールを作成するための各種データを格納している。
【０１２６】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１２７】
（ウェブページデータベース４２３）
ウェブページデータベース４２３は、携帯端末６に表示される画像提供サイトのウェブページを作成するための各種データを格納している。
【０１２８】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１２９】
（付加情報データベース４２５）
付加情報データベース４２５は、画像データベース４２４に格納されている画像を解析して得られた画像解析情報によって特定された情報に対応付けられた情報を付加情報として格納している。付加情報データベース４２５は、例えば、画像解析情報から画像の全体的な色合い特定した情報（数値など）に対応付けられた情報を付加情報として格納している。この付加情報データベース４２５を用いた処理の詳細については後述する。
【０１３０】
図示はしないが、記憶部４０２は、写真シール作成装置１から受信した画像などのデータを一時的に保存する一時保存データベースも有している。
【０１３１】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３２】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１３３】
携帯端末６は、前述したように、写真シール作成装置１にて撮影した撮影画像を、管理サーバ４を介して取得し、表示部６０５に表示させることができる。また、携帯端末６は、管理サーバ４に保存されている撮影画像を取得する際に、当該撮影画像に付加される付加情報（撮影画像の全体的な色を示す情報等の当該撮影画像を解析して得られる情報）を取得するようになっている。この付加情報は、携帯端末６において実行しているアプリケーション（以下、付加情報取得アプリケーション）を用いて管理サーバ４から取得するようになっている。付加情報取得処理の詳細については後述する。なお、管理サーバ４は、付加情報を、一般的なウェブブラウザを用いて携帯端末６から取得してもよい。
【０１３４】
（制御部６０１の詳細）
図１２に示すように、制御部６０１は、通信制御部６１１、入力制御部６１２、および表示制御部６１３を備えている。
【０１３５】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１３６】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１３７】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１３８】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１３９】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１４０】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１４１】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１４２】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１４３】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１４４】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１４５】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１４６】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１４７】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１４８】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１４９】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１５０】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１５１】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１５２】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１５３】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１５４】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１５５】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１５６】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１５７】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１５８】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１５９】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１６０】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１６１】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１６２】
図１５（ｃ）に示すように、ウェブページ１１０７は、一つのサムネイル画像１１０４、および、全ての画像を保存するためのリンク画像１１０８を含んでいる。
【０１６３】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１６４】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１６５】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１６６】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１６７】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１６８】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１６９】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１７０】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１７１】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１７２】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１７３】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１７４】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１７５】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１７６】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１７７】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１７８】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１７９】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１８０】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１８１】
携帯端末６の通信制御部６１１は、通信部６０３を通じて、送信された画像を受信し、記憶部６０２に保存する（ステップＳ３２）。以上により、携帯端末６への画像保存処理が完了する。
【０１８２】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１８３】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１８４】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１８５】
以下の実施形態では、携帯端末６において、管理サーバ４から取得した画像を表示させたときに、当該画像に付加情報を付加して、ユーザを楽しませる点について説明する。
【０１８６】
〔実施形態２〕
（画像処理装置）
本発明の実施形態２について説明すれば、以下の通りである。本実施形態に係る画像処理装置は、前記実施形態１で説明した管理サーバ４に備えられている。なお、以下の説明では便宜上、前記実施形態にて説明した部材と同じ機能を有する部材には同じ符号を付記し、その説明を省略する。以降の実施形態でも同様である。
【０１８７】
図１８は、本実施形態に係る画像処理部（画像処理装置）４１５の概略ブロック図を示す。
【０１８８】
画像処理部４１５は、画像データベース４２４に保存されている撮影画像を解析する画像解析部（画像解析手段）４１６、上記画像解析部４１６によって解析された上記撮影画像の画像解析情報から、当該撮影画像に付加する付加情報を上記ユーザに提示する付加情報提示部（付加情報提示手段）４１７、付加情報に基づいて画像データベース４２４に保存された撮影画像を分類する画像分類部（画像分類手段）４１８を含んでいる。上記付加情報の取得は、携帯端末６側で付加情報取得アプリケーションを用いて行う。つまり、画像処理部４１５は、付加情報取得アプリケーションを用いてアクセスしている携帯端末６から指示を取得して処理を実行する。
【０１８９】
上記画像情報としては、撮影時に取得した撮影日時、場所、撮影モード、画像に対して処理された画像処理情報（落書き、スタンプ等）、顔認識の情報、人物情報、写真シール装置でのユーザの名前入力、アドレス入力の情報等を含んでいる。
【０１９０】
付加情報提示部４１７は、画像解析情報に基づき、付加情報データベース４２５に格納されている情報を付加情報とし、ユーザに提示している。
【０１９１】
付加情報としては、画像の色合いを特定する情報、おすすめホームページのＵＲＬ（Uniform Resource Locator）、ラブソングのフレーズを挙げることができる。さらに、付加情報としては、特定した色合いに応じた文言を挙げることができる。
【０１９２】
画像分類部４１８は、付加情報提示部４１７によって提示された付加情報の種類毎に、ユーザが保存した複数の撮影画像を分類し、分類した撮影画像を、付加情報の種類毎に切り替えてユーザが利用する携帯端末６に通信制御部４１１を介して送信する。これにより、携帯端末６に、付加情報毎に分類された撮像画像を切り替えて表示させることができる。
【０１９３】
ここで、付加情報として、色合いに応じて「Ｈａｐｐｙ」「Ｓｏｆｔ」「Ａｇｇｒｅｓｓｉｖｅ」「Ｗａｒｍ」「Ｃｏｏｌ」「Ｆｕｎｎｙ」などのタグを付加した情報とすれば、携帯端末６を操作してタグを選択することで、選択されたタグに対応した過去の撮影画像を一覧表示させることができる。
【０１９４】
（画像の色合いの特定）
ここで、付加情報が画像の色合いを特定する情報の場合の画像処理の流れについて、図１９に示すフローチャートを参照しながら以下に説明する。
【０１９５】
まず、画像解析部４１６は、ユーザによって指定された、上記画像データベース４２４に保存された撮影画像、または編集中の画像（以下、編集画像と称する）を解析して画像解析情報を生成する（ステップＳ１０１）。具体的には、ユーザが携帯端末６において実行している付加情報取得アプリケーションを用いて撮影画像を指定する。そして、管理サーバ４は、携帯端末６によって指定された撮影画像を画像データベース４２４から取り込み、この撮影画像の解析を画像解析部４１６に行わせる。ここでは、撮影画像の総画素数の色情報（ＲＧＢ値、または明度、彩度、色相の情報）の統計値を含む画像解析情報を生成する。
【０１９６】
次に、付加情報提示部４１７は、ステップＳ１０１において画像を解析して得られた画像解析情報に含まれる撮影画像の総画素数の色情報の統計値から、当該画像の全体の色合いを特定する（ステップＳ１０２）。
【０１９７】
続いて、付加情報提示部４１７は、ステップＳ１０２において特定された色合いを示す情報に対応する付加情報を付加情報データベース４２５から取り出してユーザに提示する（ステップＳ１０３）。ここで、付加情報のユーザへの提示とは、付加情報提示部４１７にて求めた付加情報を通信制御部４１１を介してユーザが操作する携帯端末６に送り、当該携帯端末６の表示部６０５において全体的な画像の色合いが変更された撮影画像を表示することを言う。
【０１９８】
ここで、具体的な付加情報を提示した場合の画像の変化について説明する。
【０１９９】
図２０、２１、２２のそれぞれの（ａ）（ｂ）は、図１９に示す画像処理による処理前後の画像を示し、（ａ）は処理前の画像、（ｂ）は処理後の画像を示す図である。
【０２００】
図２０の（ａ）に示す撮影画像５０１は、携帯端末６の表示部６０５に表示されており、二人の人物Ａ、Ｂを含んでいる。付加情報提示部４１７は、撮影画像５０１の総画素数の色情報の統計値から、当該撮影画像５０１の全体的な色合いを特定している。そして、色合いを特定した情報は、携帯端末６に送られる。携帯端末６では、色合いを特定した情報に基づいて、図２０の（ａ）に示す撮影画像５０１から色合いを変更し、図２０の（ｂ）に示すような色合いが変更された撮影画像５０２として表示部６０５に表示させる。
【０２０１】
例えば図２０の（ａ）の撮影画像５０１のように、二人の人物Ａ、Ｂが画像全体の多くの割合を占めている場合、人物Ａ、Ｂの服装の色合いから全体的な色合いが特定される。従って、図２０の（ａ）の撮影画像５０１の背景が寒色系の色合いであっても、人物Ａ、Ｂの服装の色合いが暖色系であれば、図２０の（ｂ）に示すように、全体的な色合いが暖色系の撮影画像５０２に色変換されることになる。
【０２０２】
また、付加情報提示部４１７は、撮影画像５０１の総画素数の色情報の統計値から、当該撮影画像５０１の全体的な色合いを特定するだけでなく、特定された色合いに応じておすすめのホームページのＵＲＬを特定し、付加情報として携帯端末６に送るようにしてもよい。例えば、色合いに応じたタグのバリエーション毎に、お薦めＨＰアドレス（ＵＲＬ）を対応付けたリストを記憶部４０２に記憶しておく。携帯端末６を操作したユーザによって選択されるとお薦めＨＰのリンク先を表示部６０５に表示する。タグのバリエーション毎に、複数のアドレスが対応付けられており、その中のどれを選択するかをランダムに決めても良い。これにより、意外な面白さを得ることができる。
【０２０３】
この場合、図２１の（ａ）に示す撮影画像５０１を画像解析して得られた画像解析情報から、全体的な色合いの他に、当該画像解析情報に含まれるタグ情報、撮影された画像に写っている人物を特定するための情報等からお薦めホームページのリンク先のＵＲＬをユーザに提示するようになっている。具体的には、編集部１２は、図２１の（ｂ）に示す撮影画像５０２（図２０の（ｂ）と同じ色合いに変換された画像）に加えて、おすすめホームページのＵＲＬをクリックするための領域５０３をタブレット内蔵モニタ１３１に表示する。
【０２０４】
このように、表示部６０５に、撮影画像５０２に加えて、おすすめホームページのＵＲＬをクリックするための領域５０３が表示された場合、ユーザは、当該領域５０３をクリックしてリンク先のホームページがどのような内容のホームページかを確認する。この場合、携帯端末６は、リンク先のアドレスを通信部６０３を介してインターネット網（図示せず）に送り、該当のアドレスに対応するホーページを表示するためのデータを取得し、表示部６０５に表示させる。この表示部６０５に表示されるホームページは、画像解析情報によって異なり、同じユーザであっても、撮影時の服装や、一緒に撮影する人物によって異なるため、ユーザは領域５０３をクリックすることで占いをしている感覚が得られる。
【０２０５】
上記占いとして、画像解析情報から得られた色情報（色合い）から占いをすることも可能である。例えば周易による占いの場合、撮影画像において、背景と人物部分の色合いで自然数を対応させて占う。具体的には、背景と人物部分のそれぞれの総画素数を算出して、その値を８で割り、その余りから、「乾」「兌」「離」「震」「巽」「坎」「艮」「坤」の８つの卦に当てはめる。背景を下の卦、人物を上の卦とすると、その組み合わせで易経の６４卦に対応して、占うことになる。
【０２０６】
また、付加情報提示部４１７は、撮影画像５０１の総画素数の色情報の統計値から特定された当該撮影画像５０１の全体的な色合いに応じてお薦めのホームページのＵＲＬを特定するだけなく、画像解析情報に含まれるタグ情報、含まれている人物を特定するための情報などから、ラブソングのフレーズを特定し、付加情報として携帯端末６に送るようにしてもよい。
【０２０７】
ラブソングのフレーズは、画像解析情報に含まれるタグ情報を解析し、タグ情報に含まれているキーワードと、歌詞のキーワードとの一致度合いによりラブソングを選曲し、選曲したラブソングの歌詞のうち、タグ情報に含まれるキーワードを含んだフレーズとして特定すればよい。これらの処理は、付加情報提示部４１７により行われる。
【０２０８】
例えば、色合いに応じたタグのバリエーション毎に、歌謡曲のフレーズ、有名な言葉、小説のフレーズなどの所定の文章を対応付けたリストを記憶部４０２に記憶しておく。携帯端末６を操作したユーザによって画像が選択されるとその文章を表示部６０５に表示する。タグのバリエーション毎に、複数の文章が対応付けられており、その中のどれを選択するかをランダムに決めても良い。これにより、意外な面白さを得ることができる。
【０２０９】
携帯端末６の表示部６０５は、図２２の（ｂ）に示す撮影画像５０２（図２０の（ｂ）と同じ色合いに変換された画像）に加えて、ラブソングのフレーズを、撮影画像５０２の下方に形成された領域５０４に表示する。
【０２１０】
なお、領域５０４には、ラブソングのフレーズが表示されるが、さらに、当該領域５０４をクリックすることで、ラブソングの全てのフレーズを確認できるようにしてもよい。
【０２１１】
以上のように、本実施形態に係る画像処理装置を用いれば、撮影画像の全体的な色合いが、撮影画像に相応しい色合いになることで、ユーザの満足度を高めることができる。さらに、撮影画像から想起されるＵＲＬやラブソングのフレーズがユーザに提示されるので、エンタテイメント性の向上を図ることが可能となる。
【０２１２】
本実施形態では、付加情報は、撮影画像及び当該撮影画像に含まれるタグ情報、画像情報、画像に含まれるユーザを特定するための情報から生成されている。つまり、撮影画像に対して行われた画像編集処理（落書き、スタンプによる顔隠し等）の有無を特定する情報は、付加情報に含まれていない。以下の実施形態３では、付加情報が、画像編集処理の有無を特定する情報である例について説明する。
【０２１３】
〔実施形態３〕
（画像処理装置）
本実施形態に係る画像処理装置は、管理サーバ４に備えられており、前記実施形態１と共通で、提示する付加情報が画像編集処理の有無を示す情報である点で異なる。本実施形態では、画像編集処理として、落書き、スタンプによる顔隠しの２種類の場合について説明する。
【０２１４】
（画像編集処理：落書き）
はじめに、画像編集処理が落書きの場合の画像処理の流れについて図２３に示すフローチャートを参照しながら以下に説明する。
【０２１５】
まず、画像解析部４１６は、携帯端末６を介してユーザによって指定された、画像データベース４２４に保存された撮影画像を解析して画像解析情報を生成する（ステップＳ２０１）。具体的には、画像解析部４１６は、ユーザが携帯端末６において実行している付加情報取得アプリケーションを用いて撮影画像を指定して、管理サーバ４において指摘された撮影画像を画像データベース４２４から取り込む。そして、画像解析部４１６は、撮影画像に対して施された編集処理、すなわち落書きの有無を特定するための情報を含む画像解析情報を生成する。
【０２１６】
次に、付加情報提示部４１７は、ステップＳ２０１において画像を解析して得られた画像解析情報に含まれる落書きの有無を特定するための情報から、当該画像の落書きの有無を特定する（ステップＳ２０２）。
【０２１７】
続いて、付加情報提示部４１７は、ステップＳ２０２において特定された情報に対応する付加情報を付加情報データベース４２５から取り出してユーザに提示する（ステップＳ２０３）。ここで、付加情報のユーザへの提示とは、付加情報提示部４１７にて求めた付加情報を、通信制御部４１１を介してユーザが操作する携帯端末６に送り、当該携帯端末６の表示部６０５において落書きの有無を特定した撮影画像をユーザに提示することを言う。例えば、携帯端末６の表示部６０５には、落書き無し画像として、図２４の（ａ）に示す撮影画像５０１が表示され、落書き有り画像として、図２４の（ｂ）に示す撮影画像５０２が表示される。この撮影画像５０２では、人物Ａに落書き５０５されている例を示している。
【０２１８】
上記落書きは、撮影画像５０１に落書き処理を施した際の操作情報をもとに落書き５０５が付された撮影画像５０２の評価を行う。ここでの撮影画像５０２の評価は、落書きの操作の回数、落書きされた画像の面積の大きさなどが所定の値を超えた場合を、落書きが十分になされたと評価する。また、写真シール作成装置で落書き時に当該落書きに対して落書きが施された時間が付加されている場合は、その落書きの時間が所定の値以上であれば、十分落書きされたと評価する。
【０２１９】
従って、上記の評価により、例えば落書きがちゃんと書けたか否か、未完成のままか否かを上記操作情報をもとに判定する。これにより、撮影画像５０２の編集の完成度を管理する。
【０２２０】
図２４の（ａ）に示すように、落書きが付されていない場合、携帯端末６において落書き処理を行うために、敢えて落書きをしなかったのか否かも上記操作情報をもとに判定できる。
【０２２１】
（画像編集処理：顔隠し）
次に、画像編集処理が顔隠しの場合の画像処理の流れについて図２５に示すフローチャートを参照しながら以下に説明する。
【０２２２】
まず、画像解析部４１６は、ユーザによって指定された、上記画像データベース４２４に保存された撮影画像、または編集画像を解析して画像解析情報を生成する（ステップＳ３０１）。具体的には、ユーザが携帯端末６において実行している付加情報取得アプリケーションを用いて撮影画像を指定して、管理サーバ４において指摘された撮影画像、または編集画像を画像データベース４２４から取り込む。そして、画像解析部４１６は、撮影画像に対して施された編集処理、すなわち撮影画像に含まれる人物の顔を隠す画像編集処理の有無を特定するための情報を含む画像解析情報を生成する。
【０２２３】
次に、付加情報提示部４１７は、ステップＳ３０１において画像を解析して得られた画像解析情報に含まれる画像編集処理の有無を特定する情報から、当該画像の画像編集処理の有無を特定する（ステップＳ３０２）。
【０２２４】
続いて、付加情報提示部４１７は、ステップＳ３０２において特定された情報を付加情報としてユーザに提示する（ステップＳ２０３）。ここで、付加情報のユーザへの提示とは、付加情報提示部４１７にて求めた付加情報を、通信制御部４１１を介してユーザが操作する携帯端末６に送り、当該携帯端末６の表示部６０５において画像編集処理の有無を特定した撮影画像をユーザに提示することを言う。この際に、顔認識により顔領域を特定して表示してもよい。例えば、携帯端末６の表示部６０５には、人物の顔を隠した画像として、図２６の（ａ）〜（ｃ）の何れかが表示される。図２６の（ａ）は、人物Ｂの顔（顔画像）５０６を隠した例を示し、図２６の（ｂ）は、人物Ａの顔５０６を隠した例を示し、図２６の（ｃ）は、人物Ａ、Ｂ両者の顔５０６・５０６を隠した例を示している。これら顔５０６を隠すには、画像編集処理を行う際にスタンプを押すことで実現している。つまり、付加情報提示部４１７は、画像解析部４１６によって得られた画像解析情報に顔を隠すためのスタンプの有無を示す情報を確認することで、撮影画像における人物の顔隠しの有無を特定していることになる。上記スタンプとしては、お面を付けるように顔部分を覆うスタンプでもよいし、メガネとマスクをつけるスタンプでもよい。さらに、動物の目、鼻および口を付けるスタンプでもよい。
【０２２５】
なお、携帯端末６の表示部６０５には、撮影画像に人物の顔隠し処理が施されている場合、図２６の（ａ）〜（ｃ）の何れかが表示されるが、携帯端末６においては、人物の顔が隠されていない撮影画像に対して、人物の顔を隠す処理を行うことができる。
【０２２６】
例えば、携帯端末６の表示部６０５に表示された撮影画像が図２４の（ａ）のように人物の顔が隠されていない撮影画像５０１の場合、当該携帯端末６に設けられたボタン（図示せず）を押下する毎に、図２６の（ａ）〜（ｃ）に示す撮影画像５０１に切り替えるようにする。
【０２２７】
上記のように撮影画像５０１に含まれる人物の顔を隠す目的は、ＳＮＳを利用した場合に、自分と一緒に撮影された人物を特定されないようにするためである。
【０２２８】
このような目的であれば、撮影画像５０１に含まれる人物のうち、特定されたくない人物をぼかす処理あるいは顔部分にモザイクをかける処理を行ってもよい。この処理についても、携帯端末６の表示部６０５に表示された撮影画像５０１に対して行うようにすればよい。例えば図２７の（ａ）に示す撮影画像５０１のように、人物Ａ、Ｂともに鮮明に写っている場合、例えば人物Ｂをぼかす処理を施して、図２７の（ｂ）に示す撮影画像５０２のようにすればよい。
【０２２９】
人物をぼかす以外に、特定されたくない人物の顔を他の人の顔（特定されてもよい顔）に置き換える処理を行ってもよい。この処理についても、携帯端末６の表示部６０５に表示された撮影画像５０１に対して行うようにすればよい。例えば図２８の（ａ）に示す撮影画像５０１のように、人物Ａ、Ｂともに鮮明に写っている場合、人物Ｂの顔を人物Ａの顔に置き換える処理を施して、図２８の（ｂ）に示す撮影画像５０２のようにすればよい。この場合、人物Ａ、人物Ｂの顔が同じである。
【０２３０】
また、人物の顔全体を隠すのではなく、目だけ隠す、あるいは口だけ隠すようにしても、人物を特定し難くすることができる。
【０２３１】
この場合、携帯端末６において、目だけ隠す、あるいは口だけ隠すボタンを設けて、表示部６０５に表示された撮影画像５０１に対して処理を施すことになる。また、名前と顔とを関連付けて記憶部２０２に記憶しておき、名前の入力で対応する人物の顔を撮影画像から特定し、特定した人物の顔を隠す、あるいは顔の特定部位（目、口）を隠す処理を施す。この場合には、複数枚の撮影画像に対して同時に処理を行うことができる。
【０２３２】
以上のように、撮影画像５０１に落書きがあるか否か、人物の顔や顔の特定部位（目、口）が隠されているか否かを判定することで、当該撮影画像５０１に含まれる人物の評価を行うことが可能となる。例えば、落書きが多いと注目されている度合いが高い、顔や目、口が隠されていることが多いと注目されている度合いが低い、あるいは人気が無いと判断することができる。従って、撮影画像５０１から自分評価が分かり、本人のもれる（盛れる）度が推測できる。例えば、本人が撮影画像５０１のもれる度を自己評価し、さらに、撮影画像５０１の編集内容を解析し、この解析結果から、どのような編集が行われた場合に、ユーザが「盛れた」と感じる（自己評価する）のかの相関をとすることで、本人のもれる度が推測できる。
【０２３３】
前述では、撮影画像５０１をＳＮＳに使用する際に、特定されたくない人物の顔を隠す処理を施しているが、特定されたくない人物の友達関係の人には顔隠しが解除され、顔が見られるようにしてもよい。
【０２３４】
また、上記の処理を行うには、例えば、上記付加情報に、特定の人物（例えば友達）を認証したときに、当該特定の画像に施されたユーザにより認識できない処理の解除を指示する指示情報を含むようにすればよい。ここで、特定の人物を認証するには、例えば、付加情報と共に、提供する画像を所有するユーザの会員ＩＤを関連情報として付加情報に含めておき、携帯端末６（又は、管理サーバ４）によって上記画像を閲覧する人物の会員ＩＤを確認することで行う。例えば、閲覧する人物の会員ＩＤが、上記画像を所有するユーザの友達関係として登録のある人物の会員ＩＤに該当すれば、閲覧する人物が画像を所有するユーザの友達であると認証される。このように、閲覧する人物が友達であると認証されれば、携帯端末６では、付加情報に含まれる指示情報に基づいて、特定の画像に施されたユーザにより認識できない処理を解除する。これにより、画像を所有するユーザの友達であれば、隠された顔を見ることができる。逆に、画像を所有するユーザの友達でなければ、すなわち、閲覧する人物の会員ＩＤが、上記画像を所有するユーザの友達関係として登録のある人物の会員ＩＤに該当しなければ、隠された顔を見ることができない。
【０２３５】
さらに複数人の撮影画像において、自分の顔を隠すのではなく、自分自身を明示的にすることもできる。この場合、複数人のうち、自分以外の人物の顔を消す処理でもよいが、これ以外に、複数人のうちの自分が撮影されている部分をより明示的にするようにしてもよい。具体的には、自分が撮影されている部分にだけ、自分の名前が表示されるようにしてもよいし、自分が撮影されている部分だけコントラストを明確にして強調するようにしてもよい。さらに、自分が撮影されている部分に、当該自分を示す矢印やマークが付されていてもよい。さらに自分の顔部分のみを丸く囲み他の部分をすべてぼかす処理をしてもよい。
【０２３６】
また、友達関係になれば隠した顔を見られるようにする場合、友達関係の度合い、例えば大親友、普通、友達でない、の３段階で隠した人物の顔の見せ方をかえてもよい。例えば、大親友の場合、複数種類の撮影画像５０１に写った人物の顔を全て見せるようにし、普通の友達の場合、複数種類の撮影画像５０１のうち１枚の撮影画像５０１のみ、写った人物の顔を見せるようにし、友達でない場合、隠した顔にして、顔を見せないようにすることが考えられる。
【０２３７】
また、上記の説明では、顔を隠す処理を施していたが、これに限定されるものではなく、例えば、撮影画像中の特定の画像を隠すような処理をしてもよい。この特定の画像を隠す処理とは、ユーザが認識できないようにする処理がある。
【０２３８】
以上の実施形態２，３は、撮影画像を解析した画像解析情報を利用した処理を、管理サーバ４と携帯端末６との間で実現した例について説明したが、本処理については、写真シール作成装置１で行ってもよい。
【０２３９】
下記の実施形態４では、写真シール作成装置１において、撮影画像を解析した画像解析情報を利用した他の例について説明する。
【０２４０】
〔実施形態４〕
本実施形態に係る画像処理装置は、前記実施形態１と共通で、提示する付加情報が合成する服装を特定した情報である点で異なる。
【０２４１】
（画像処理装置）
本発明の実施形態４について説明すれば、以下の通りである。なお、本実施形態では、本発明の画像処理装置を、写真シール作成装置１に備えられていることを前提として説明する。また、以下の説明では便宜上、前記実施形態にて説明した部材と同じ機能を有する部材には同じ符号を付記し、その説明を省略する。
【０２４２】
図２９は、本実施形態に係る画像処理装置の概略ブロック図を示す。
【０２４３】
上記画像処理装置は、図２９に示すように、前記実施形態１の図１１に示す編集制御部３１３を備えている。
【０２４４】
編集制御部３１３は、編集部１２による画像に対する落書き編集等、写真シール作成ゲームにおけるユーザの編集制御に関する処理を制御するものであって、画像解析部３１６、付加情報提示部３１７を含んでいる。
【０２４５】
また、編集制御部３１３は、撮影された画像を解析して得られた画像解析情報から当該画像に対して付加する種々の付加情報を生成し、ユーザに付加情報が付加された画像を提供するようになっている。
【０２４６】
従って、編集制御部３１３は、撮影部２１において撮影された画像に関連付けられた画像情報から当該画像を解析する画像解析部（画像解析手段）３１６と、画像解析部３１６によって解析された上記画像の画像解析情報から、当該画像に付加する付加情報を生成してユーザに提示する付加情報提示部（付加情報提示手段）３１７とを含んでいる。
【０２４７】
上記画像情報としては、撮影時に取得した撮影日時、場所、撮影モード、画像に対して処理された画像処理情報（落書き、スタンプ等）、顔認識の情報、人物情報、写真シール装置でのユーザの名前入力、アドレス入力の情報等を含んでいる。
【０２４８】
（画像処理：人物の服装合成）
人物の服装合成処理の流れについて図３０に示すフローチャートを参照しながら以下に説明する。なお、本合成処理は、写真シール作成装置１の制御部２０１内の編集制御部３１３において行われるが、ユーザによる操作は編集部１２において行われる。また、合成が確定した画像の印刷や送信については事後接客部１３において行われる。
【０２４９】
まず、編集制御部３１３内の画像解析部３１６は、撮影された人物の服装を特定する情報を含むように撮影画像８０１（図３１の（ａ））の画像を解析して画像解析情報を生成する（ステップＳ４０１）。ここで、編集部１２のタブレット内蔵モニタ１３１に表示された撮影画像８０１に含まれる人物の服装の形状と合致する服装を、記憶部２０２に格納された服装特定データベースから読み出し、当該人物の服装と特定する。
【０２５０】
次に、付加情報提示部３１７は、ステップＳ４０１において画像を解析して得られた画像解析情報に含まれる人物の服装を特定した情報から、当該人物に合成すべき服装を特定する（ステップＳ４０２）。ここで、人物に合成すべき服装とは、例えば、証明写真の場合であれば、スーツを合成すべき服装とし、遺影の場合には、遺影に相応しい服装を合成すべき服装とし、他の場合においても、タブレット内蔵モニタ１３１に表示された撮影画像８０１を使用する場面に相応しい服装を合成すべき服装とする。これら合成すべき服装に関する情報は、撮影画像８０１を使用する場面と服装とを対応付けた記憶部２０２に格納された服装特定データベースに保存されている。上記服装特定データベースに、「浴衣」や「コスプレ」の衣装を服装データとして複数種類格納しておけば、何かのイベントに出かけた場合に、ユーザは複数種類の衣装を自分の画像に合成して楽しむことができる。
【０２５１】
続いて、付加情報提示部３１７は、ステップＳ４０２において特定された合成すべき服装を示す情報を付加情報としてユーザに提示する（ステップＳ４０３）。ここで、付加情報のユーザへの提示とは、付加情報提示部３１７にて求めた付加情報を事後接客部１３に送り、当該事後接客部１３のタブレット内蔵モニタ１６１の編集画面において合成処理が施された撮影画像を表示することを言う。例えば、写真シール作成装置１において証明写真を撮影する証明写真コースを実行する際、合成前の図３１の（ａ）に示す撮影画像８０１（人物Ｃの服装がＴシャツ８０３）を合成処理した図３１の（ｂ）に示す撮影画像８０２（人物Ｃの服装がスーツ８０４）をタブレット内蔵モニタ１６１に表示することを言う。
【０２５２】
（後ろ姿の撮影）
ここまでの実施形態では、人物の正面からの撮影が主であったが、場合によっては人物の背面、すなわち後ろ姿を撮影する要望もある。このような要望は、主に、ファッションを残すためである。例えば、一般的に、着衣姿で正面、側面、背面の全周囲を画像として残すには、それぞれの面において撮影していけばよい。しかしながら、写真シール作成装置１のような限られた空間において全周囲の画像を撮影するのはむずかしい。
【０２５３】
そこで、写真シール作成装置１において、多点カメラで着衣姿の人物を撮影することが考えられる。
【０２５４】
上記多点カメラを用いて、人物Ｄを４方面（正面、右側面、背面、左側面）から同時に撮影した場合、例えば図３２の（ａ）〜（ｄ）に示す撮影画像７０１〜７０４が得られる。図３２の（ａ）は、人物Ｄを正面から撮影したときの撮影画像７０１、図３２の（ｂ）は、人物Ｄを右側面から撮影したときの撮影画像７０２、図３１の（ｃ）は、人物Ｄを背面から撮影したときの撮影画像７０３、図３２の（ｄ）は、人物Ｄを左側面から撮影したときの撮影画像７０４を示している。
【０２５５】
ここで、顔認識を行い、顔の特定部分について、正面の位置と側面の位置で位置合わせを行うと、より３次元データの取得が容易になる。具体的には、両目の中点部分と側面図の目の中心を水平に伸ばした直線で顔の正面部分の位置を特定することで、より３次元データの取得が容易になる。また、標準的な人物モデルの３次元データをもとに、部分的に正面、側面のデータと一致するように、３次元モデルのデータを対応させることで容易に、撮影画像から３次元データを生成するようにしてもよい。
【０２５６】
上記多点カメラは、上記のような４方面だけでなく、さらに多くの方面から同時に撮影することもできる。
【０２５７】
このように多方面から人物を同時に撮影することにより、ＷＥＢやアプリケーション上で支店を切り替えつつ動的に人物を表示させることが可能となる。
【０２５８】
また、人物の横姿や後姿も撮れるので、立ち姿やポーズのチェックにも活用できる。
【０２５９】
さらに、多方面から撮影した撮影画像を用いて立体画像を作成してもよい。このように作成した立体画像は、３Ｄプリンタへ出力するようにしてもよい。
【０２６０】
また、多方面から撮影した撮影画像に対しても画像修正の有り無し、を切り替え可能なようにしてもよい。
【０２６１】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２６２】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２６４】
本発明は、写真シール作成装置において作成されたユーザの撮影画像を管理サーバに保存する撮影画像管理システムとして、幅広く利用することができる。
【符号の説明】
【０２６５】
１  写真シール作成装置
４  管理サーバ
６  携帯端末
１１  撮影ユニット
１２  編集部
１３  事後接客部
２１  撮影部
２０１  制御部
３１１  通信制御部
３１２  撮影制御部
３１３  編集制御部
３１４  印刷制御部
３１５  事後接客制御部
３１６  画像解析部（画像解析手段）
３１７  付加情報提示部（付加情報提示手段）
４０１  制御部
４０２  記憶部
４０３  通信部
４１１  通信制御部
４１２  メール作成部
４１３  ウェブページ作成部
４１４  画像管理部
４１５  画像処理部（画像処理装置）
４１６  画像解析部（画像解析手段）
４１７  付加情報提示部（付加情報提示手段）
４１８  画像分類部
４２４  画像データベース
４２５  付加情報データベース
６０１  制御部
６０２  記憶部
６０３  通信部
６０４  入力部
６０５  表示部
６１１  通信制御部
６１２  入力制御部
６１３  表示制御部
【図１】
2015185879.tif 000003
【図２】
2015185879.tif 000004
【図３】
2015185879.tif 000005
【図４】
2015185879.tif 000006
【図５】
2015185879.tif 000007
【図６】
2015185879.tif 000008
【図７】
2015185879.tif 000009
【図８】
2015185879.tif 000010
【図９】
2015185879.tif 000011
【図１０】
2015185879.tif 000012
【図１１】
2015185879.tif 000013
【図１２】
2015185879.tif 000014
【図１３】
2015185879.tif 000015
【図１４】
2015185879.tif 000016
【図１５】
2015185879.tif 000017
【図１６】
2015185879.tif 000018
【図１７】
2015185879.tif 000019
【図１８】
2015185879.tif 000020
【図１９】
2015185879.tif 000021
【図２０】
2015185879.tif 000022
【図２１】
2015185879.tif 000023
【図２２】
2015185879.tif 000024
【図２３】
2015185879.tif 000025
【図２４】
2015185879.tif 000026
【図２５】
2015185879.tif 000027
【図２６】
2015185879.tif 000028
【図２７】
2015185879.tif 000029
【図２８】
2015185879.tif 000030
【図２９】
2015185879.tif 000031
【図３０】
2015185879.tif 000032
【図３１】
2015185879.tif 000033
【図３２】
2015185879.tif 000034